(57)【要約】【課題】簡単な機構でかつ容易な操作のみで照明光源を移動させて顕微観察用途とそれ以外の用途にそれぞれ適した位置に切り換え得るようにした観察用光学機器を提供する。【解決手段】照明光源７１を有する観察用光学機器１において、対物光学ユニット４と、接眼光学ユニット５と、一端に照明光源が設けられ他端に回動軸７２ａが形成されており回動軸を回動中心として回動自在に配設されるレバー部材７２と、レバー部材を回動方向に移動させる照明位置切換部材３と、対物光学ユニットの光軸から離間した位置に設けられ対物光学ユニットの光軸側に向けた反射面７４ａを有する反射部材７４とを具備し、照明光源は照明位置切換部材の移動に伴って回動するレバー部材と共に回動軸を回動中心として回動し対物光学ユニットの光軸上の位置と反射部材の反射面に向けて出射光を投光する位置との少なくとも２つの位置の間で移動する。【選択図】図３
2011095338.tif 000002
【特許請求の範囲】
【請求項１】
照明光源を有する観察用光学機器において、
対物光学ユニットと、
接眼光学ユニットと、
一端に上記照明光源が設けられ、他端に回動軸が形成されており、上記回動軸を回動中心として回動自在に配設されるレバー部材と、
上記レバー部材を回動方向に移動させる照明位置切換部材と、
上記対物光学ユニットの光軸から離間した位置に設けられ上記対物光学ユニットの光軸側に向けた反射面を有する反射部材と、
を具備し、
上記照明光源は、上記照明位置切換部材の移動に伴って回動する上記レバー部材と共に上記回動軸を回動中心として回動し、上記対物光学ユニットの光軸上の位置と上記反射部材の上記反射面に向けて出射光を投光する位置との少なくとも２つの位置の間で移動することを特徴とする観察用光学機器。
【請求項２】
上記反射部材は、平面，球面，自由曲面の鏡面若しくは光沢面により形成され、
上記反射部材に向けて上記照明光源が配置されたとき、上記照明光源からの出射光を上記対物光学ユニットの前方に位置する観察対象物に向けて反射させることを特徴とする請求項１に記載の観察用光学機器。
【請求項３】
上記対物光学ユニットは、対物レンズ前面側を保護すると共に外部からの光を透過する対物レンズ保護部材と、
上記対物光学ユニットに隣接する位置であって、上記照明光源の出射光が上記反射部材に向けて照射されたときに、上記反射部材の上記反射面によって反射される反射光が通過する位置に設けられる透明部材と、をさらに具備することを特徴とする請求項１又は請求項２のいずれかに記載の観察用光学機器。
【発明の詳細な説明】
【技術分野】
【０００１】
この発明は、観察用光学機器、詳しくは例えば細胞組織や微生物等の標本や観察試料の顕微観察像を得るための観察用光学機器における照明光源部の構造に関するものである。
【背景技術】
【０００２】
従来、微細な物体を拡大して観察する顕微観察を行う観察用光学機器としては、顕微観察専用に構成された据置型の顕微鏡装置が一般に使用されている。
【０００３】
このような従来の据置型顕微鏡装置の構成は、剛性の高い筐体に、接眼レンズ及び対物レンズからなる観察光学ユニット，照明光源部等の主要な構成物を同軸上となるように配置した構造となっているのが普通である。このような構成によって、従来の据置型顕微鏡装置では、顕微観察に最適な照明条件を実現している。
【０００４】
また、従来の顕微鏡装置においては、顕微鏡としての機能の一部を簡略化した簡易的な構造とすることによって、小型化及び軽量化を実現したものが実用化されている。したがって、このような簡易構造のものでは、容易に持ち運ぶことができるので、屋外，野外においても手軽に顕微観察を楽しむことができるようになる。
【０００５】
一方、従来の観察用光学機器においては、顕微観察を行う照明付き顕微鏡として使用し得ると共に、一部の構成要素を組み換えることによって拡大投影機としても使用できるようにしたものが、例えば特開平７−２８７１７０号公報等によって提案されている。
【０００６】
上記特開平７−２８７１７０号公報等によって開示されている観察用光学機器は、接眼光学系を装着するための接眼口と対物光学系とを備えた顕微鏡筒と、この顕微鏡筒に対し俯仰角調整可能に取付られ内部に照明光源を備えると共に照明光が出射するライト投光口とプレパラート取付部等を備えた照明光源部と、顕微鏡筒の接眼口若しくは照明光源部のライト投光口とのいずれか一方に選択的に嵌装され内部に接眼光学系を有する接眼鏡筒とによって構成されている。
【０００７】
そして、接眼鏡筒を顕微鏡筒の接眼口に取り付けたときには、照明光源部を照明光として利用する顕微鏡として使用し得る一方、接眼鏡筒を照明光源部のライト投光口に取り付けたときには、プレパラート取付部に取付たプレパラート上の試料を照明光源部の照明光を利用して拡大投影する投光器として使用できるというものである。  
【先行技術文献】
【特許文献】
【０００８】
【特許文献１】特開平７−２８７１７０号公報
【発明の概要】
【発明が解決しようとする課題】
【０００９】
ところが、上記従来の一般的な構成の据置型顕微鏡装置では、顕微観察を行う以外の用途はなく、通常の場合、顕微観察専用の機器として成立しているものが普通である。
【００１０】
また、据置型のものでは、携行使用を考慮しておらず、持ち運びに適さない形態のものが普通である。したがって、屋外に持ち出して使用するような用途、例えば野外において自然状態にある観察対象物をそのままの状態で顕微観察を行う等といった用途には不向きである。
【００１１】
また、上記従来の顕微鏡装置において簡易化された構造のもの、例えば照明光源部を省略して構成したものや、照明光源部を具備していても観察対象物周辺を直接照明するのみの単一機能しか持たないような簡易構造のものでは、観察を行う際の道具としての適用範囲が限定されてしまうという問題点がある。
【００１２】
一方、上記特開平７−２８７１７０号公報等によって開示されている観察用光学機器は、接眼鏡等を組み換えることによって顕微鏡と投光器とを兼用し得る構成を実現しているが、照明光源部の照明は、顕微観察若しくは拡大投影による観察に用いられるのみである。
【００１３】
このように、従来の顕微観察用光学機器である顕微鏡装置は、単一機能、即ち拡大観察に特化した専用機器であるのが普通であり、これに使用される照明光源部は、拡大観察に必要とされる光量を必要な位置に向けて供給する機能が具備されるのみであって、従来の顕微鏡装置を拡大観察以外の用途に使用することは考慮されていない。
【００１４】
本発明は、上述した点に鑑みてなされたものであって、その目的とするところは、照明光源を有する観察用光学機器において、顕微観察用に具備される照明光源を、簡単な機構でかつ容易な操作のみで特別な専用機器を使用することなく、顕微観察用途以外の用途に活用し得るようにして、照明器具としても使用することができるようにした観察用光学機器を提供することである。
【課題を解決するための手段】
【００１５】
上記目的を達成するために、本発明による観察用光学機器は、照明光源を有する観察用光学機器において、対物光学ユニットと、接眼光学ユニットと、一端に上記照明光源が設けられ他端に回動軸が形成されており上記回動軸を回動中心として回動自在に配設されるレバー部材と、上記レバー部材を回動方向に移動させる照明位置切換部材と、上記対物光学ユニットの光軸から離間した位置に設けられ上記対物光学ユニットの光軸側に向けた反射面を有する反射部材とを具備し、上記照明光源は、上記照明位置切換部材の移動に伴って回動する上記レバー部材と共に上記回動軸を回動中心として回動し、上記対物光学ユニットの光軸上の位置と上記反射部材の上記反射面に向けて出射光を投光する位置との少なくとも２つの位置の間で移動することを特徴とする。
【発明の効果】
【００１６】
本発明によれば、照明光源を有する観察用光学機器において、顕微観察用に具備される照明光源を、簡単な機構でかつ容易な操作のみで特別な専用機器を使用することなく、顕微観察用途以外の用途に活用し得るようにして、照明器具としても使用し得るように構成した観察用光学機器を提供することができる。
【図面の簡単な説明】
【００１７】
【図１】本発明の一実施形態の観察用光学機器の右側面図。
【図２】図１の観察用光学機器の正面図。
【図３】図２の［III］−［III］線（観察光軸）に沿う縦断面図であって、本観察用光学機器を用いて顕微観察を行う際の照明光源部の配置状態を示す図。
【図４】図２の［III］−［III］線（観察光軸）に沿う縦断面図であって、本観察用光学機器を用いて物体を照明する際の照明光源部の配置状態を示す図
【発明を実施するための形態】
【００１８】
以下、図示の実施の形態によって本発明を説明する。
【００１９】
まず、本発明の一実施形態の観察用光学機器の構成を、図１〜図４を用いて以下に簡単に説明する。
【００２０】
なお、本実施形態においては、観察用光学機器の対物光学系が配置されている側を機器の前面側というものとし、同観察用光学機器の接眼光学系が配置されている側を機器の後面側というものとする。また、機器の上面に対向する面を底面というものとする。そして、機器の通常の使用状態で両側に配置される面を左側面及び右側面というものとする。この場合における左右の判別は、被写体側から機器の前面に向かって見たときの左側又は右側をそれぞれ左又は右として区別する。
【００２１】
また、本実施形態においては、観察用光学機器における観察光学ユニットの光軸を符号Ｏで表す。そして、この光軸Ｏに沿う方向において、機器の前面側に配設される対物光学系に対向する位置にある観察対象物の側を前方というものとし、機器の背面側に配設される接眼光学系に対向する位置に存在する使用者の側を後方というものとする。
【００２２】
以下の説明に用いる各図においては、各構成要素を図面上で認識可能な程度の大きさとするため、各構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００２３】
本実施形態の観察用光学機器１は、顕微観察を行い得る状態と、目視観察を行う際に観察対象物に向けて照明光を照射する照明器具として使用する状態と、を選択的に切り換えて使用することができるようにした観察用光学機器である。
【００２４】
図１〜図４に示すように、本実施形態の観察用光学機器１は、筐体２と、観察光学ユニットと、照明用電源ユニット６と、照明光源部７等によって主に構成されている。
【００２５】
筐体２は、内部に各種の構成ユニットを収納し本観察用光学機器１の本体を構成する筐体である。筐体２は、中空の箱形状からなる本体を二分割して形成される二つの部材、即ち、主に左半部を構成する機器本体左部材２ａと、主に右半部を構成する機器本体右部材２ｂとによって構成される。
【００２６】
機器本体左部材２ａと機器本体右部材２ｂとは各々の取付面で対象な形状に形成されていて、両者は、例えばネジ等の締結部材（図示せず）によって固定されて一体となることにより、内部に空間を有する筐体２を構成するようになっている。
【００２７】
筐体２の上面よりの前面側及び背面側には、それぞれ開口が形成されている。なお、筐体２の前面側の開口部には、観察光学ユニットのうち対物光学ユニット４が配置される。また、筐体２の背面側の開口部には、接眼光学ユニット５が配置される。
【００２８】
筐体２の外面には、各種の操作部材（照明位置切換部材３，照明切換ボタン６２ａ等）が設けられている。また、筐体２の前面側の開口部の近傍には、該前面開口部に配置される対物光学ユニット４に隣接する位置に、観察用照明透過用の透明部材７５が配置されている。なお、これらの部材の詳細構成については後述する。
【００２９】
筐体２の内部には、観察光学ユニット，照明用電源ユニット６，照明光源部７等がそれぞれ所定の位置に収納配置されている。
【００３０】
本観察用光学機器１における観察光学ユニットは、対物光学ユニット４と接眼光学ユニット５とによって構成される。
【００３１】
対物光学ユニット４は、対物レンズ４１ａと、対物レンズ枠４１と、対物レンズ保護部材４２等によって構成される。この対物光学ユニット４は、上述したように筐体２の前面側の開口部に配設される。
【００３２】
対物レンズ４１ａは、樹脂若しくはガラス等の光学部材によって形成される。
【００３３】
対物レンズ枠４１は、対物レンズ４１ａを保持するレンズ枠である。この対物レンズ枠４１は、筐体２の内部の固定部材に対し、例えば接着剤等の固着手段を用いて固設されている。
【００３４】
対物レンズ保護部材４２は、樹脂若しくはガラス等の透明部材を略円筒形状に形成してなる部材である。対物レンズ保護部材４２は、対物レンズ枠４１の前面側に配設されている。対物レンズ保護部材４２の軸方向の中心軸は、対物レンズ４１ａの中心軸（光軸）と略一致するように配置される。この対物レンズ保護部材４２は、顕微観察を行う際に、対物レンズ４１の前面側と該対物レンズ４１の前方に置かれる観察対象物との間に所定の間隔を確保して対物レンズ４１の前面を保護すると共に、上記観察対象物の周辺に対して外光が入射し得るように設けられているものである。
【００３５】
接眼光学ユニット５は、接眼レンズ５１ａ，５１ｂと、接眼レンズ鏡筒５３等によって構成される。
【００３６】
接眼レンズ５１ａ，５１ｂは、樹脂若しくはガラス等の二枚の光学部材によって構成される。
【００３７】
接眼レンズ鏡筒５３は、略円筒形状に形成された部材からなり、内部に接眼レンズ５１ａ，５１ｂや絞り部材（図示せず）等の各構成部材を光軸Ｏに沿って保持する保持部材である。なお、これらの各構成部材は、接着等の手段によって接眼レンズ鏡筒５３内部における所定の部位にそれぞれ固設されている。
【００３８】
本実施形態においては、接眼レンズ鏡筒５３の前端側に接眼レンズ５１ａが内挿保持され、接眼レンズ鏡筒５３の後端側に接眼レンズ５１ｂが内挿保持されている。
【００３９】
接眼レンズ鏡筒５３は、筐体２の内部において観察光学ユニットの光軸Ｏに沿う方向に進退自在に配設されている。そのために、筐体２の内部には、複数の摺動面２１ａが形成されている。接眼レンズ鏡筒５３の外周面５３ａは、これら複数の摺動面２１ａ上を摺動しつつ光軸Ｏ方向に進退し得るようになっている。つまり、摺動面２１ａは、接眼レンズ鏡筒５３の光軸Ｏに沿う方向への進退移動をガイドし、かつ接眼レンズ鏡筒５３が光軸Ｏに対して直交する方向への振れを抑止する役目をしている。
【００４０】
接眼レンズ鏡筒５３の軸方向の中心軸は、接眼レンズ５１ａ，５１ｂの中心軸（光軸）と略一致するように配置される。そして、接眼レンズ鏡筒５３は、接眼レンズ５１ａ，５１ｂの中心軸（光軸）と対物レンズ４１ａの中心軸（光軸）とが略一致するように、筐体２の内部に配設される。このように接眼レンズ５１ａ，５１ｂの光軸と対物レンズ４１ａの光軸とを一致させた結果、想定される光軸が観察光学ユニットの光軸Ｏとなる。
【００４１】
筐体２の内部において、底面側の部位には、照明用電源ユニット６が配設されている。  照明用電源ユニット６は、照明光源部７の照明光源７１を点灯させるための照明用電源回路を構成する各種の構成部材からなる。即ち、照明用電源ユニット６は、電源６１と、照明切換スイッチ６２と、照明切換ボタン６２ａと、照明用接続線６３等によって構成される。
【００４２】
電源６１は、照明光源部７の照明光源７１を点灯させるための電源であって、例えば乾電池等の一次電池やリチウムイオン電池等の二次電池等が適用される。
【００４３】
照明切換スイッチ６２は、照明切換ボタン６２ａのオンオフ操作に連動するスイッチである。したがって、使用者が照明切換ボタン６２ａを操作して照明切換スイッチ６２をオン状態にすると、電源６１からの電力が照明電源回路へと供給されて、照明光源７１が点灯して光が出射されるようになっている。また、同様に使用者が照明切換ボタン６２ａを操作して照明切換スイッチ６２をオフ状態にすると、電源６１からの電力が遮断されて、照明光源７１が消灯するようになっている。
【００４４】
照明用接続線６３は、電源６１，照明切換スイッチ６２と、照明光源部７の照明光源７１とを電気的に接続する複数の接続線である。照明用接続線６３は、電源６１のプラスマイナス両接続端子や、照明切換スイッチ６２，照明光源７１等の電気部材のそれぞれに半田付け等によって結線されることで照明用電源回路が構成される。
【００４５】
筐体２の内部において、接眼光学ユニット５の下方側近傍であって筐体２の前方寄りの部位には、照明光源部７が配設されている。
【００４６】
照明光源部７は、照明光源７１と、レバー部材７２と、レバー駆動ばね７３と、反射部材７４と、透明部材７５等によって構成される。
【００４７】
照明光源７１は、観察対象物に対して照明光を照射するものである。照明光源７１は、例えば発光ダイオード（ＬＥＤ）素子等が適用される。照明光源７１は、レバー部材７２の一端部に対して絶縁性の接着剤等を用いて固設されている。
【００４８】
レバー部材７２は、照明光源７１の配設位置を移動させて、該照明光源７１から出射される光の進行方向を切り換えるための機構部材である。そのために、レバー部材７２の一端には、照明光源７１が固設されている。なお、照明光源７１の背面から延出する接続線（図示せず）は、例えばレバー部材７２内を挿通して、該レバー部材７２の他端面に形成される端子部（図示せず）に接続されている。そして、この端子部には、上記照明用接続線６３が半田付け等によって接続されている。
【００４９】
一方、レバー部材７２の他端部近傍には、筐体２内の固定部に嵌合する回動軸７２ａが形成されている。この回動軸７２ａは、該レバー部材７２の軸方向に対して直交する方向に、該レバー部材７２を挟んで両側へと突出する円柱形状に形成される軸状部である。上述したように、回動軸７２ａが筐体２の固定部に対して嵌合状態としたとき、レバー部材７２は、回動軸７２ａを回動中心として回動自在に軸支されている。そして、回動軸７２ａには、レバー駆動ばね７３が巻回されている。
【００５０】
レバー駆動ばね７３は、レバー部材７２を一方向へと回動力させる付勢力を付与している部材である。そのために、レバー駆動ばね７３の一腕部は、筐体２内の固定部２ａａにおいて固定されている。また、レバー駆動ばね７３の他腕部は、レバー部材７２の所定部位に固定されている。これにより、レバー駆動ばね７３の付勢力は、レバー部材７２に対して常に作用しており、その付勢力によって、レバー部材７２は、図３，図４において回動軸７２ａを回動中心とする時計方向へと常に付勢されている。
【００５１】
なお、レバー部材７２は、照明位置切換部材３の連結部材３ｃに当接することにより、レバー駆動ばね７３の付勢力による回動が規制されるようになっている。
【００５２】
ここで、照明位置切換部材３は、レバー部材７２に対して作用して、これを回動させることによって照明光源７１の配設位置を切り換えると共に、照明光源７１を所定の配設位置に配置した時、その位置を保持するための操作部材である。
【００５３】
照明位置切換部材３は、図２に示すように、照明位置切換操作部３ａ，３ｂと、連結部材３ｃとにより構成される。
【００５４】
照明位置切換操作部３ａ，３ｂは、それぞれ機器本体左部材２ａ及び機器本体右部材２ｂに穿設された貫通孔２ａｃ（図３参照）を介して筐体２の左右両側面から外部に向けて突出するように配置されている。貫通孔２ａｃは、光軸Ｏと平行方向に長辺を有する略長方形状に形成された孔部である。照明位置切換操作部３ａ，３ｂは、この貫通孔２ａｃ内において長辺方向にスライド移動しうるようになっている。
【００５５】
連結部材３ｃは、照明位置切換操作部３ａ，３ｂを連結する軸状部材である。したがって、使用者が照明位置切換操作部３ａ，３ｂのいずれか一方若しくは両方に対して力量を加えると、照明位置切換操作部３ａ，３ｂは、貫通孔２ａｃの内において長辺方向（光軸Ｏ方向）にスライド移動するようになっている。
【００５６】
そして、筐体２の内部においては、上述したように連結部材３ｃに対してレバー部材７２が当接している。したがって、照明位置切換操作部３ａ，３ｂを光軸Ｏに沿う方向へとスライド移動させることによって、レバー部材７２を回動させることができ、その結果、照明光源７１の配設位置を切り換えることができるようになっている。
【００５７】
なお、回動軸７２ａは、レバー部材７２の回動中心に位置する部材である。したがって、回動軸７２ａは、照明光源７１が所定の少なくとも２点の配設位置通過する円の中心に配置されるように設定される。この場合において、照明光源７１の所定の２点としては、
照明光源７１の出射光の光束中心が観察光学ユニットの光軸Ｏと略一致して同出射光が対物光学ユニット４を通過し得る位置（図４に示す状態参照）と、
照明光源７１の出射光が、後述する反射部材７４に向けて投光される位置（図３に示す状態参照）と、
である。
【００５８】
また、図示していないが、照明位置切換操作部３ａ，３ｂには、照明光源７１が上記所定の２点に配置されたときの各配設位置を保持するために、所定の係止機構が設けられている。この係止機構としては、照明位置切換操作部３ａ，３ｂと貫通孔２ａｃとに凸部と凹部とを形成し、これら凸部と凹部とが係合したときには、レバー駆動ばね７３の付勢力による照明位置切換部材３の移動を阻止するための機構である。
【００５９】
反射部材７４は、照明光源７１から出射した光束を反射させて、光軸Ｏの側へと光路を折り返すための反射面７４ａを有する部材である。この反射面７４ａは、例えば平面，球面，自由曲面等のからなる鏡面若しくは光沢面によって形成されている。反射部材７４は、観察光学系の光軸Ｏから離間した位置において、その反射面７４ａが光軸Ｏの側に向けて配置されている。なお、反射部材７４は、筐体２内の固定部２ａｂに対して接着，嵌め込み，ネジ止め等の固定手段を用いて固設されている。
【００６０】
透明部材７５は、上述したように、筐体２の前面側の開口部近傍であって、対物光学ユニット４の対物レンズ保護部材４２に隣接する位置に固設されている。透明部材７５は、筐体２を構成する機器本体左右部材（２ａ，２ｂ）によって挟み込むように配設され、かつ接着剤等を用いて固設されている。
【００６１】
透明部材７５は、反射部材７４によって折り返された反射光が、光軸Ｏ上の所定の位置に照射され得るように設けられる部材である。即ち、対物光学ユニット４の外部に設けられている反射部材７４によって反射される光束を、対物光学ユニット４の内部における光軸Ｏ上の所定の位置へと導くために、その光路上に配設される部材を透明部材７５としているのである。そのため、透明部材７５は、照明光源７１から出射され反射部材７４によって反射された光束の光量を減光させないようにするために透明度の高い部材を適用するのが望ましい。
【００６２】
このように構成された本実施形態の観察用光学機器１の作用を、以下に説明する。
【００６３】
まず、観察用光学機器１が図３に示す状態にある場合を説明する。
【００６４】
図３に示す状態においては、観察用光学機器１の照明光源７１は、顕微観察を行うのに適する位置に配置されている。
【００６５】
即ち、この状態において、照明位置切換部材３は、貫通孔２ａｃの前寄りの部位に配置され、その位置に保持されている。したがって、レバー部材７２は、レバー駆動ばね７３の付勢力に抗して前方側に押し倒された状態となっている。この状態にあるとき、使用者によって照明切換ボタン６２ａが操作されて照明切換スイッチ６２がオン状態になると、電源６１からの電力が照明電源回路へと供給されて照明光源７１が点灯する。
【００６６】
照明光源７１からの出射光は、反射部材７４の反射面７４ａへと向かい、反射面７４ａにて反射して、その光路（図３の符号Ｌ１参照）が折り返される。この反射光は、光軸Ｏ側へと向かい、透明部材７５，対物レンズ保護部材４２を透過して、光軸Ｏ上の所定の部位（図３の符号Ａ近傍）を照射する。この場合において、光軸Ｏ上の所定の部位Ａとしては、対物レンズ４１ａの焦点若しくは焦点近傍となるように設定されている。
【００６７】
したがって、この状態において使用者は、接眼光学ユニット５の接眼部５ａから覗くことにより、対物光学ユニット４の焦点近傍に配置された観察対象物（図示せず）を、観察光学ユニットを利用して顕微観察を行なうことができるようになる。このとき、観察対象物は、照明光源７１の照明光束によって照明された状態となっている。
【００６８】
次に、観察用光学機器１が図４に示す状態に切り換えられた場合を説明する。
【００６９】
図４に示す状態は、観察用光学機器１の照明光源７１は目視観察を行う際に観察対象物を直接照明するのに適する位置に配置されている。
【００７０】
観察用光学機器１が図３に示す状態にあるとき、使用者が、照明位置切換部材３を後方に向けてスライド移動させる操作を行なうことで、観察用光学機器１は図４に示す状態に切り換わる。
【００７１】
即ち、図３に示す状態にあるとき、使用者により照明位置切換部材３が後方側（接眼光学ユニット５側）に向けてスライド移動されると、レバー部材７２は、連結部材３ｃに当接した状態のままレバー駆動ばね７３の付勢力によって回動軸７２ａを回動中心として図３，図４における時計方向に回動する。そして、照明位置切換部材３の光軸Ｏ方向へのスライド移動が貫通孔２ａｃ内の後端寄りの位置で位置規制されると、レバー部材７２の回動も規制される。これにより、レバー部材７２の一端に固設されている照明光源７１は、その出射光の光軸が観察光学ユニットの光軸Ｏと一致する位置に配置され、レバー駆動ばね７３の付勢力によって、その位置が保持された状態、即ち図４の状態となる。
【００７２】
この状態にあるとき、使用者によって照明切換ボタン６２ａが操作されて照明切換スイッチ６２がオン状態になると、電源６１からの電力が照明電源回路へと供給されて照明光源７１が点灯する。
【００７３】
照明光源７１からの出射光は、対物レンズ４１ａに入射して屈折しながら同対物レンズ４１ａを透過して、前方にある観察対象物に向けて投光される。このときの、照明光源７１の出射光の光路は、図４において符号Ｌ２で示す。
【００７４】
なお、この図４に示す状態から図３に示す状態に切り換えるには、照明位置切換部材３を前方側（対物光学ユニット４側）に向けてスライド移動させるのみでよい。
【００７５】
つまり、照明位置切換部材３を前方側（対物光学ユニット４側）に移動させるとレバー部材７２は回動軸７２ａを回動中心としてレバー駆動ばね７３の付勢力に抗して図３，図４における反時計方向に回動する。これにより、レバー部材７２の一端に固設されている照明光源７１は、反射部材７４の反射面７４ａに向けて出射光を投光する位置に配置され、図示しない上記係止機構によって、その位置が保持された状態、即ち図３の状態となる。
【００７６】
以上説明したように上記一実施形態によれば、観察用光学機器１の照明位置切換部材３を光軸Ｏに沿う方向において前後方向にスライド移動させる操作を行うのみで、照明光源７１の配置を切り換えて、照明光源７１を顕微観察を行うのに適した位置（図３の位置）と、目視観察を行うのに適した位置（図４の位置）との間で容易に切り換えることができる。
【００７７】
したがって、簡単な機構によって筐体２の内部における照明光源７１の位置の切り換えを実現し、簡単な操作を行うのみで観察用光学機器１を顕微観察を行う通常の用途の他に、目視観察を行う際の照明器具として活用することができる。
【００７８】
なお、上述の位置実施形態の観察用光学機器１においては、反射部材７４の反射面７４ａによって反射された反射光の光路（図３の符号Ｌ１参照）上に透明部材７５，対物レンズ保護部材４２を設けることで、照明光を通過させて、観察光学系の光軸Ｏ上の所定の部位（図３の符号Ａ近傍）を照射するように構成している。
【００７９】
この構成とは別に、例えば上記反射光路Ｌ１上に、透明部材７５，対物レンズ保護部材４２を設ける代わりに、筐体２の一部を切り欠く等によって、反射光が通過し得る孔部を形成するようにしてもよい。
【００８０】
本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【符号の説明】
【００８１】
１……観察用光学機器
２……筐体
２ａ……機器本体左部材
２ａｃ……貫通孔
２ｂ……機器本体右部材
３……照明位置切換部材
３ａ，３ｂ……照明位置切換操作部
３ｃ……連結部材
４……対物光学ユニット
５……接眼光学ユニット
５ａ……接眼部
６……照明用電源ユニット
７……照明光源部
４１……対物レンズ枠
４１ａ……対物レンズ
４２……対物レンズ保護部材
５１ａ，５１ｂ……接眼レンズ
５３……接眼レンズ鏡筒
６１……電源
６２……照明切換スイッチ
６２ａ……照明切換ボタン
６３……照明用接続線
７１……照明光源
７２……レバー部材
７２ａ……回動軸
７３……レバー駆動ばね
７４……反射部材
７４ａ……反射面
７５……透明部材
【図１】
2011095338.tif 000003
【図２】
2011095338.tif 000004
【図３】
2011095338.tif 000005
【図４】
2011095338.tif 000006